(57)【要約】【課題】  ガスメーターに備えられた複数の端子のうち、使用頻度の低い端子を機能切替えにより共通化して端子の数を減らしたガスメーターを提供する。【解決手段】  外部機器と接続する端子台を有するガスメーターにおいて、プラス極とマイナス極をそれぞれ有する外部機器接続端子と外部通信端子を備え、外部機器接続端子のマイナス極と外部通信端子のマイナス極が左右に隣接して配設され、前記２つのマイナス極の左側に位置する外部機器接続端子のプラス極が遠隔遮断弁開端子、右側に位置する外部通信端子のプラス極が遠隔遮断弁閉端子として使用可能であり、前記２つのマイナス極が遠隔遮断弁開端子と遠隔遮断弁閉端子の共通のマイナス極であるＣ端子として使用可能であり、ガスメーターの内部設定によって、外部端子と外部通信端子が遠隔遮断弁開端子と遠隔遮断弁閉端子に切替えが可能であることを特徴とするガスメーター。【選択図】      図１
0003217156.tif 000002
【実用新案登録請求の範囲】
【請求項１】
外部機器と接続する端子台を有するガスメーターにおいて、プラス極とマイナス極をそれぞれ有する外部機器接続端子と外部通信端子を備え、外部機器接続端子のマイナス極と外部通信端子のマイナス極が左右に隣接して配設され、前記２つのマイナス極の左側に位置する外部機器接続端子のプラス極が遠隔遮断弁開端子、右側に位置する外部通信端子のプラス極が遠隔遮断弁閉端子として使用可能であり、前記２つのマイナス極が遠隔遮断弁開端子と遠隔遮断弁閉端子の共通のマイナス極であるＣ端子として使用可能であり、ガスメーターの内部設定によって、外部端子と外部通信端子が遠隔遮断弁開端子と遠隔遮断弁閉端子に切替えが可能であることを特徴とするガスメーター。
【考案の詳細な説明】
【技術分野】
【０００１】
本考案は、外部機器接続端子を遠隔遮断弁開端子に、外部通信端子を遠隔遮断弁閉端子へ切換え可能とするガスメーターに関するものである。
【背景技術】
【０００２】
ガスメーターは、外部通信端子、ガス漏れ警報器接続端子、外部機器接続端子、遠隔遮断弁開端子、遠隔遮断弁閉端子など複数の外部の機器と接続する端子を有する端子台を有する。市場で全ての端子が使われることがないことから、従来、使用頻度の低い端子のうち、電気的条件が共通なものについて、機能切換を行うことができるガスメーターが提案されている（特許文献１、特許文献２）。
【先行技術文献】
【特許文献】
【０００３】
【特許文献１】特許第５４８０８５３号公報
【特許文献２】特許第６１５７４００号公報
【考案の概要】
【考案が解決しようとする課題】
【０００４】
しかしながら、このような従来のガスメーターの端子台のうち遠隔遮断弁開端子と遠隔遮断弁閉端子は、図２に示すような電子回路の構成上、遠隔遮断弁開端子と遠隔遮断弁閉端子の共通のマイナス極であるＣ端子の３極が存在し、外部機器接続端子や外部通信端子などの２極で構成されている端子と共通化を行うことができなかった。本考案は、上記事情に鑑みて、使用頻度の少ない端子を共通化したガスメーターを提供することを目的とする。
【課題を解決するための手段】
【０００５】
本考案は、外部機器と接続する端子台を有するガスメーターにおいて、プラス極とマイナス極をそれぞれ有する外部機器接続端子と外部通信端子を備え、外部機器接続端子のマイナス極と外部通信端子のマイナス極が左右に隣接して配設され、前記２つのマイナス極の左側に位置する外部機器接続端子のプラス極が遠隔遮断弁開端子、右側に位置する外部通信端子のプラス極が遠隔遮断弁閉端子として使用可能であり、前記２つのマイナス極が遠隔遮断弁開端子と遠隔遮断弁閉端子の共通のマイナス極であるＣ端子として使用可能であり、ガスメーターの内部設定によって、外部端子と外部通信端子が遠隔遮断弁開端子と遠隔遮断弁閉端子に切替えが可能であることを特徴とする。
【考案の効果】
【０００６】
外部機器接続端子のマイナス極と外部通信端子のマイナス極が左右に隣接して配設することで、ガスメーターの内部設定による切換えから、前記２つのマイナス極の左側に位置する外部機器接続端子のプラス極が遠隔遮断弁開端子、右側に位置する外部通信端子のプラス極が遠隔遮断弁閉端子として使用可能であり、前記２つのマイナス極が遠隔遮断弁開端子と遠隔遮断弁閉端子の共通のマイナス極であるＣ端子として使用可能となる。従って、ガスメーターの内部設定による端子の機能切換えから、特定の端子に複数の役割を持たせることで端子の共通化を行い、ガスメーター上の端子数を減らすことが可能となった。加えて、配設する端子数の減少によるガスメーターの構造の簡素化から本体の小型化も期待でき、製造における省コスト化も見込むことができる。
また、従来のガスメーターの端子の並び通り正面向かって左側が開端子、右側が閉端子といった位置関係を維持することが可能であり、配線の接続を行う作業者が施工時に混乱することがない。
【図面の簡単な説明】
【０００７】
【図１】（ａ）は本考案によるガスメーターの正面図であり、（ｂ）は本考案によるガスメーターの端子台の拡大図である。
【図２】遠隔遮断弁開端子と遠隔遮断弁閉端子の電子回路の概略図である。
【図３】（ａ）は従来のガスメーターの正面図であり、（ｂ）は従来のガスメーター端子台の拡大図である。
【考案を実施するための形態】
【０００８】
以下、本考案の実施の形態を図面に基づいて説明する。図１は、本考案の端子切り替え機能を有するガスメーター１の実施形態を示す正面図と端子台２０の拡大図である。図１（ａ）に示すように、ガスメーター１は左右に長い直方体の形状を持つ外ケース１０に、ガスの消費量表示用の液晶パネル３０と、テスト遮断スイッチ４０と、復帰ボタン５０と、外部機器接続端子２６などの各種端子を備えた端子台２０を有している。
【０００９】
端子台２０は液晶パネル３０の下部に位置しており、左右に長い長方形の枠に囲われている。図１（ｂ）に示すように、図面向かって左側からＦＧ端子２１、ＤＴ端子２２、ＳＧ端子２３、Ｇ端子２４、ガス漏れ警報器接続端子２５、外部機器接続端子２６、外部通信端子２７が、一直線に配設されている。なお、本実施形態において、外部通信端子にはガス業界で使用されているＵバス通信端子を用いている。端子の直下には、各端子の名称が表示されており、このうち外部機器接続端子２６と外部通信端子２７の名称表示の下部には端子機能表示部２８を備えている。端子機能表示部２８は、外部機器接続端子２６のプラス極２６ａの表示の下に「開」、外部機器接続端子２６のマイナス極２６ｂと外部通信端子２７のＵ２端子２７ｂの表示の下に「Ｃ」、外部通信端子２７のＵ１端子２７ａの表示の下に「閉」と表示されており、前記３つの表示はそれぞれ、「開」が遠隔遮断弁開端子２８ａ、「Ｃ」がＣ端子２８ｂ、「閉」が遠隔遮断弁閉端子２８ｃを表している。
【００１０】
上記の端子のうち、ガス漏れ警報器接続端子２５、外部機器接続端子２６、外部通信端子２７は、それぞれプラス極（２５ａ、２６ａ、２７ａ）とマイナス極（２５ｂ、２６ｂ、２７ｂ）を有しており、外部通信端子２７を構成するＵ１端子２７ａとＵ２端子２７ｂはそれぞれ、プラス極とマイナス極に該当する。
本考案において、外部機器接続端子２６と外部通信端子２７は、図１（ｂ）に示すように、左右に隣接して配設されている。ここで、外部機器接続端子２６のプラス極２６ａとマイナス極２６ｂは、プラス極２６ａが図面向かって左側に、マイナス極２６ｂが図面向かって右側に配設されている。一方、外部通信端子２７のＵ１端子２７ａとＵ２端子２７ｂは、Ｕ２端子２７ｂが図面向かって左側に、Ｕ１端子２７ａが図面向かって右側になるように配設されている。つまり、外部機器接続端子２６のマイナス極２６ｂと、外部通信端子２７のマイナス極２７ｂが隣接する配置となっている。
【００１１】
上記の構成をとることで、隣接した外部機器接続端子２６のマイナス極２６ｂと外部通信端子２７のＵ２端子２７ｂを１つのマイナス極とみなすことが可能になり、外部機器接続端子２６のプラス極２６ａと外部通信端子２７のＵ１端子２７ａを含めて、３つの端子を有する端子群を構成することができる。この構成を、図２のような電子回路Ｅとみなすことで、外部機器接続端子プラス極２６ａを遠隔遮断弁開端子２８ａとして、外部通信端子Ｕ１端子２７ａを遠隔遮断弁閉端子２８ｃとして、隣接する外部機器接続端子２６のマイナス極２６ｂと外部通信端子２７のＵ２端子２７ｂをＣ端子２８ｂとして使用することが可能となる。なお、外部機器接続端子２６のプラス極２６ａと外部通信端子２７のＵ１端子２７ｂの遠隔遮断弁開端子２８ａと遠隔遮断弁閉端子２８ｃへの切換えは、ガスメーターの内部設定により行う。
このように、特定の端子に複数の役割を持たせることで端子の共通化を行い、ガスメーター上の端子数を減らすことが可能となった。
【００１２】
また、本考案にて共通化された遠隔遮断弁開端子２８ａと遠隔遮断弁閉端子２８ｃの位置関係は図３（ｂ）で示すような、従来のガスメーター上での両端子の位置関係と同様である。したがって、ガスメーター１を取り付ける際、配線行う作業者が施工時に混乱し難くなることが期待される。
【００１３】
本考案は、上記の実施形態に限定されず、本考案の要旨を逸脱しない範囲で適宜変更可能である。例えば、外部機器接続端子と外部通信端子の配置が本考案に沿うものであれば、それ以外の配置はどのようであっても良い。
【符号の説明】
【００１４】
１      ガスメーター
２６    外部機器接続端子
２７    外部通信端子
２８ａ  遠隔遮断弁開端子
２８ｂ  Ｃ端子
２８ｃ  遠隔遮断弁閉端子
【図１】
0003217156.tif 000003
【図２】
0003217156.tif 000004
【図３】
0003217156.tif 000005